(57)【要約】【課題】  製造コストを軽減させることができると共に、組み立ての安全性をも高めることができる太陽電池パネル用支持装置の提供。【解決手段】  太陽電池パネルが嵌め込まれ得る太陽電池パネル用支持装置であって、複数の帯状フレームと、それぞれが前記複数の帯状フレームのうち隣り合わせた２つの帯状フレームの対応する端部に接続した両端部及び前記両端部の間を接続した曲がり部で形成された複数の角フレームとを有し、前記帯状フレームと前記角フレームとの接続構成は、前記角フレームの前記両端部に、２つの接続突起と、前記接続突起の付け根周縁回りにある第１の当接面とが形成されており、前記帯状フレームの両端部には、前記接続突起を受け入れ得る接続孔と、前記接続孔の開口縁になっていて前記接続突起が挿し込まれると、前記第１の当接面と当接することができる第２の当接面とが形成されていることを特徴とする太陽電池パネル用支持装置を提供する。【選択図】図１
2011181881.tif 000002
【特許請求の範囲】
【請求項１】
太陽電池パネルが装着される太陽電池パネル用支持装置であって、複数の帯状フレームと、それぞれが前記複数の帯状フレームのうち隣り合わせた２つの帯状フレームの対応する端部に接続した両端部及び前記両端部の間を接続した曲がり部で形成された複数の角フレームとを有し、
前記帯状フレームと前記角フレームとの接続構成は、前記角フレームの前記両端部に、２つの接続突起と、前記各接続突起の付け根周縁回りにある第１の当接面とが形成されており、
前記帯状フレームの両端部には、前記接続突起を受け入れ得る接続孔と、前記接続孔の開口縁になっていて前記接続突起が挿し込まれると、前記第１の当接面と当接することができる第２の当接面とが形成されていることを特徴とする太陽電池パネル用支持装置。
【請求項２】
その全体の周縁に、太陽電池パネルが嵌め込まれ得る防水シール付きの固定溝が配置構成されていることを特徴とする請求項１の太陽電池パネル用支持装置。
【請求項３】
前記接続突起が、前記接続孔内に係止されることができるように構成されていることを特徴とする請求項１または２のいずれかの太陽電池パネル用支持装置。
【請求項４】
前記接続突起は連続している複数の第１の係止歯が形成されている第１の係止面を有し、前記接続孔の内側には前記第１の係止面に対応して全ての前記第１の係止歯に噛み合うことができる第２の係止歯が形成されている第２の係止面を有していることを特徴とする請求項３の太陽電池パネル用支持装置。
【請求項５】
前記帯状フレーム及び前記角フレームには、固定用の設置孔がそれぞれ形成されていることを特徴とする請求項４の太陽電池パネル用支持装置。
【請求項６】
上記太陽電池パネル用支持装置において、前記角フレームの前記曲がり部は、面取りされて丸いカーブ状になっていることを特徴とする請求項１の太陽電池パネル用支持装置。
【発明の詳細な説明】
【技術分野】
【０００１】
本発明は、太陽電池パネル用支持装置に関する。
【背景技術】
【０００２】
太陽電池セルは、光起電力効果を利用し、光エネルギーを直接電力に変換するものであり、応用に十分な電圧と電流を得るためには、太陽電池セルを複数枚直／並列接続する必要がある。そして複数枚直／並列接続している太陽電池セルを有している太陽電池パネルを固定する支持装置は、例えば図６に示されているように、中空のものであり、太陽電池パネル１０の各辺に対応する長さを有する辺部材１２と、該辺部材１２を連続的に結合する結合手段１１とを有している。結合手段１１は、その両側にある２つの辺部材１２の対応する中空内に、それぞれ外からみえないように没入して係合され、それぞれの辺部材１２は、その両側に２つの延伸係合部１１１を有する。該２つの延伸係合部１１１の没入係合によって、それぞれの辺部材１２同士が接触するようにして連続的に結合することができる。
【０００３】
図示のように、両側にある２つの辺部材１２を連続的に結合するため、この従来例は、２つ辺部材１２の互いに結合する端部１２１をそれぞれ、それら２つのなす角度（ここでは９０°）の半分（ここでは４５°）に形成した。
【発明の概要】
【発明が解決しようとする課題】
【０００４】
しかし、上記構造によると、それぞれの辺部材１２の端部１２１の角度を正確に形成しなければ２つの辺部材１２が安定に結合できず、また、通常太陽電池パネル１０の形状は四角形になるため、該角度はほぼ４５°の鋭角に限られる。
【０００５】
このため、辺部材１２の製造コストが高まるだけでなく、組み立てを行う作業員がその鋭角によって怪我をし易い。
【０００６】
上記問題点に鑑みて、本発明は、その構造により製造コストを軽減させることができると共に、組み立ての安全性をも高めることができる太陽電池パネル用支持装置の提供を目的とする。
【課題を解決するための手段】
【０００７】
上記目的を達成すべく、本発明は太陽電池パネルが装着される太陽電池パネル用支持装置であって、  
複数の帯状フレームと、それぞれが前記複数の帯状フレームのうち隣り合わせた２つの帯状フレームの対応する端部に接続していると共に、その隣り合わせた２つの帯状フレームの間に曲がり部を構成した複数の角フレームとを有し、前記帯状フレームと前記角フレームとの接続構成は、前記角フレームの両端部に、２つの接続突起と、前記接続突起の付け根周縁回りにある第１の当接面とが形成されており、前記帯状フレームの両端部には、前記接続突起を受け入れ得る接続孔と、前記接続孔の開口縁になっていて前記接続突起が挿し込まれると、前記第１の当接面と当接することができる第２の当接面とが形成されていることを特徴とする太陽電池パネル用支持装置を提供する。
【０００８】
上記太陽電池パネル用支持装置において、その全体の周縁に、太陽電池パネルが嵌め込まれ得る防水シール付きの固定溝が配置構成されていることが好ましい。
【０００９】
上記太陽電池パネル用支持装置において、前記接続突起が、前記接続孔内に係止されることができるように構成されていることが好ましい。
【００１０】
上記太陽電池パネル用支持装置において、前記接続突起は連続している複数の第１の係止歯が形成されている第１の係止面を有し、前記接続孔の内側には前記第１の係止面に対応して全ての前記第１の係止歯に噛み合うことができる第２の係止歯が形成されている第２の係止面を有していることが好ましい。
【００１１】
上記太陽電池パネル用支持装置において、前記帯状フレーム及び前記角フレームには、固定用の設置孔がそれぞれ形成されていることが好ましい。
【００１２】
上記太陽電池パネル用支持装置において、前記角フレームの前記曲がり部は、面取りされて丸いカーブ状になっていることが好ましい。
【発明の効果】
【００１３】
上記構成により、本発明は支持装置の曲がり部を構成する角フレームを採用することによって、曲がり部の形状を自由に形成できると共に、帯状フレームと角フレームとが接続する端部を、製造コストが比較的に高い鋭角に形成する必要がなく、例えば安全な直角に形成することができるので、コストを軽減することができると共に、組み立ての安全性を高めることができる。
【図面の簡単な説明】
【００１４】
【図１】本発明の太陽電池パネル用支持装置２の正面図である。
【図２】帯状フレームと角フレームとが接続する端部の構成が示されている分解斜視図である。
【図３】帯状フレームと角フレームとの接続構成が示されている正面横断図である。
【図４】帯状フレームと角フレームとが接続している状態を示す一部断面図である。
【図５】本発明の第２の実施形態における帯状フレームと角フレームとが接続している状態を示す一部断面図である。
【図６】従来の太陽電池パネルを固定する支持装置の構成が示されている斜視図である。
【発明を実施するための形態】
【００１５】
以下は図面を参照しながら、本発明の各好ましい実施形態のについて説明する。図１〜図４は本発明の第１の好ましい実施形態を示している。図１は本発明の太陽電池パネル用支持装置２の正面図であり、図示されているように、本発明の太陽電池パネル用支持装置２は、太陽電池パネル３が装着される支持装置であり、複数（この実施形態では４本）の帯状フレーム２１と、それぞれが前記複数の帯状フレームのうち隣り合わせた２つの帯状フレームの対応する端部に接続した両端部２２９及び前記両端部２２９の間を接続した曲がり部で形成された複数の角フレーム２２とを有している。
【００１６】
図２は帯状フレーム２１と角フレーム２２とが接続する端部の構成が示されている分解斜視図であり、図３は帯状フレーム２１と角フレーム２２との接続構成が示されている正面横断図であり、図４は帯状フレーム２１と角フレーム２２とが接続している状態を示す一部断面図である。
【００１７】
図示されているように、帯状フレーム２１には、本体部２１０と、本体部２１０の一側縁に沿って形成されている第１のパネル固定溝２１３と、第１のパネル固定溝２１３の反対側に形成されている第１の固定プレート２１２とを有するように形成されている。第１の固定プレート２１２には、本体部２１０の延伸方向に沿って一連に配置されている設置孔２１１が開けられている。固定用のボルトを設置孔２１１に挿通して帯状フレーム２１を固定することができる。
【００１８】
角フレーム２２は、互いに直交して曲がり部を構成する第１の板部２２１と第２の板部２２２と、第１のパネル固定溝２１３と連続できるように第１の板部２２１及び第２の板部２２２の一側縁に沿って形成されている第２のパネル固定溝２２３と、第２のパネル固定溝２２３の反対側に形成されている第２の固定プレート２２６とを有するように形成されている。第２の固定プレート２２６にも設置孔２２５が形成されている。
【００１９】
また、図１における左下の角フレーム２２には説明プレート２３が形成されており、太陽電池パネル３に関する製造情報や使用方法などを説明プレート２３で示すことができる。
【００２０】
この実施形態における角フレーム２２により構成されている前記曲がり部、即ちの第１の板部２２１及び第２の板部２２２が接続してなっている部分は、稜角でなく、図示されているように、面取りされて丸いカーブとなっている。
【００２１】
また、図３に示されているように、連続している第１の固定溝２１３及び第２の固定溝２２３内には防水シール２４が充填・固定されている。
【００２２】
即ち、それぞれ複数の第１の固定溝２１３と第２の固定溝２２３とは、太陽電池パネル用支持装置全体の周縁に連続的に並び、太陽電池パネルが嵌め込まれ得る防水シール付きの固定溝になっている。
【００２３】
なお、各帯状フレーム２１と角フレーム２２との接続構成は、角フレーム２２の両端部２２９に形成されている２つの接続突起２２４と、各接続突起２２４の付け根周縁回りにある第１の当接面２２７と、帯状フレーム２１の両端部２１９に形成されていて接続突起２２４を受け入れ得る接続孔２１４と、接続孔２１４の開口縁になっていて接続突起２２４が接続孔２１４に挿し込まれると、第１の当接面２２７と当接することができる第２の当接面２１６とによりなされている。
【００２４】
図３、図４に示されているように、接続突起２２４は連続している複数の第１の係止歯２２０が形成されている第１の係止面２２８を有しており、対応する接続孔２１４の内側には、接続突起２２４の第１の当接面２２７が第２の当接面２１６と当接するまで差し込まれたとき、第１の係止面２２８の位置に対応し、且つ、全ての第１の係止歯２２０に噛み合うことができる第２の係止歯２１５が形成されている第２の係止面２１８を有している。  
即ち、この構成により、接続突起２２４を接続孔２１４内に係止することができ、帯状フレーム２１と角フレーム２２との接続安定性を保つことができる。
【００２５】
また、図５では本発明の第２の実施形態を示している。図示されているように、この実施形態における接続突起２２４は、一対の板体が固定溝の長手方向に沿って並列してなり、且つ、一対の板体の間にばね２２９が取り付けられていて、接続突起２２４全体の厚さが伸縮可能になるものである。また、第１の係止面２２８には１つの係止歯２２０Ａのみが設けられている。この構成により、接続突起２２４を圧縮して、その厚さが薄くなるようにすることで、角フレーム２２を帯状フレーム２１に差し込んだり、第１の係止面２２８と係止孔２１７との係止を解除して、角フレーム２２を帯状フレーム２１から取り外すしたりすることを容易できる。
【産業上の利用可能性】
【００２６】
上記構成により、本発明は支持の曲がり部を構成する角フレームを採用することによって、曲がり部の形状を自由に形成できると共に、帯状フレームと角フレームとが接続する端部を、製造コストが比較的に高い鋭角に形成する必要がなく、例えば安全な直角に形成することができるので、コストを軽減することができると共に、組み立ての安全性を高めることができる。
【符号の説明】
【００２７】
２…太陽電池パネル用支持装置、２１…帯状フレーム、２１０…本体部、２１１…設置孔、２１２…第１の固定プレート、２１３…第１のパネル固定溝、２１４…接続孔、２１５…第２の係止歯、２１６…第２の当接面、２１７…係止孔、２１８…第１の係止面、２２…角フレーム、２２０…第１の係止歯、２２１…第１の板部、２２２…第２の板部、２２３…第２のパネル固定溝、２２４…接続突起、２２５…設置孔、２２６…第２の固定プレート、２２７…第１の当接面、２２９…ばね、２２８…第２の係止面、２２０Ａ…係止歯、２３…説明プレート、２４…防水シール、３…太陽電池パネル。
【図１】
2011181881.tif 000003
【図２】
2011181881.tif 000004
【図３】
2011181881.tif 000005
【図４】
2011181881.tif 000006
【図５】
2011181881.tif 000007
【図６】
2011181881.tif 000008